(57)【要約】【課題】安価な構成で映像信号の処理を低消費電力で可能として、撮像した被写体の映像を良好な画質で表示する。【解決手段】撮像部１０は、撮像画の映像信号を生成する。映像信号処理装置２０は、撮像画の映像信号に対して、表示部３０に応じた映像サイズ変更処理や映像信号変換処理を行う。サイズ変更処理回路２３１で処理が行われた映像信号をレジスタ２３２に保持する。信号変換処理回路２３３はレジスタ２３２に保持されている映像信号を用いて信号処理を行う。複数の信号処理が完了した撮像画の映像信号をｅＤＲＡＭ２２に書き込み、この書き込まれた映像信号を表示部３０に供給して動画表示を行う。ｅＤＲＡＭ２２に対する映像信号の書き込みや読み出し回数が少なく低消費電力となる。また、伝送路の帯域を広くしなくともフレームレートの低下等を防止でき、画質の良好な動画表示を行える。【選択図】        図１
2005303367.tif 000002
【特許請求の範囲】
【請求項１】
映像信号を用いて信号処理を行う複数の信号処理手段と、
前記信号処理手段で処理された映像信号を保持し、該保持した映像信号を他の信号処理手段に供給する信号保持手段と、
前記複数の信号処理手段による信号処理が完了した映像信号を記憶する記憶手段を有する
ことを特徴とする映像処理装置。
【請求項２】
前記複数の信号処理手段は、映像サイズ変更処理を行う信号処理手段と映像信号変換処理を行う信号処理手段を有する
ことを特徴とする請求項１記載の映像処理装置。
【請求項３】
前記複数の信号処理手段は、映像の混合処理を行う信号処理手段を有し、該混合処理後の映像信号を前記信号保持手段に保持させる
ことを特徴とする請求項２記載の映像処理装置。
【請求項４】
被写体を撮像して撮像画の映像信号を生成する撮像手段と、該撮像画の表示を行う表示手段を備えるカメラ機能を有した電子機器において、
映像信号を用いて信号処理を行う複数の信号処理手段と、
前記信号処理手段で処理された前記撮像画の映像信号を保持し、該保持した映像信号を他の信号処理手段に供給する信号保持手段と、
前記複数の信号処理手段による信号処理が完了した前記撮像画の映像信号を記憶する記憶手段を設け、
前記記憶手段に記憶された映像信号を用いて前記撮像画の表示を行う
ことを特徴とするカメラ機能を有した電子機器。
【請求項５】
前記複数の信号処理手段は、前記表示手段の映像表示サイズに応じて前記撮像画のサイズを変更する映像サイズ変更処理を行う信号処理手段と、前記表示手段に対応した映像信号に変換する映像信号変換処理を行う信号処理手段を有する
ことを特徴とする請求項４記載のカメラ機能を有した電子機器。
【請求項６】
前記複数の信号処理手段は、前記撮像画と他の映像の混合処理を行う信号処理手段を有し、該混合処理後の映像信号を前記信号保持手段に保持させる
ことを特徴とする請求項５記載のカメラ機能を有した電子機器。
【発明の詳細な説明】
【技術分野】
【０００１】
この発明は、映像処理装置とカメラ機能を有した電子機器に関する。詳しくは、撮像画の映像信号を用いて信号処理を行う複数の信号処理手段と、信号処理手段で処理された映像信号を保持し、この保持した映像信号を他の信号処理手段に供給する信号保持手段と、複数の信号処理手段による信号処理が完了した映像信号を記憶する記憶手段を設け、記憶手段に記憶された映像信号を用いて、撮像画の表示を表示手段で行うものである。
【背景技術】
【０００２】
近年、携帯情報端末や携帯電話等の電子機器では、情報の入出力や通話だけでなく、被写体を撮像したり撮像画像の表示を行うことができるカメラ機能が設けられている。例えば特許文献１に示されているＰＤＡ(Personal Digital Assistance)では、撮像画像を表示するとき、撮像画像の表示の向きや表示する画像の領域を変更することが可能とされている。このＰＤＡでは、ＣＭＯＳセンサから供給されるディジタルの映像信号をＤＳＰ内の内蔵ＲＡＭに記憶させて、この内蔵ＲＡＭに記憶させた映像信号をフィールドあるいはフレーム単位で読み出して表示制御部に供給する。表示制御部は、読み出した映像信号をＶＲＡＭ(Video Random Access Memory)に記憶させて、このＶＲＡＭに記憶されている映像信号の読み出しを制御して、表示の向きや表示領域の変更が行われている。
【０００３】
【特許文献１】特開２００３−２６４７７５号公報
【発明の開示】
【発明が解決しようとする課題】
【０００４】
ところで、上述のような電子機器では、表示の向きや表示領域の変更だけでなく、表示サイズを変更することも行われている。例えば撮像画像の１画面の画素数と電子機器の表示画素数が異なるとき、電子機器の表示画素数に合わせて撮像画像のサイズを拡大あるいは縮小することが行われる。さらに、ＣＭＯＳセンサから供給される映像信号と電子機器の表示素子を駆動するために用いる映像信号の形式が異なる場合、映像信号変換処理が行われている。例えばＣＭＯＳセンサから供給される映像信号がコンポーネント信号であり、電子機器の表示素子を駆動するために用いる映像信号が三原色信号（ＲＧＢ信号）であるときは、コンポーネント信号をＲＧＢ信号に変換するマトリクス処理が行われている。
【０００５】
ここで、映像サイズ変更処理や映像信号変換処理を行う場合、表示制御部に接続されているＶＲＡＭから映像信号を読み出してＤＳＰで映像サイズ変更処理や映像信号変換処理を行い、変換処理後の映像信号をＶＲＡＭに書き込み、この書き込まれた映像信号を読み出して映像表示を行うものとすると、表示制御部とＶＲＡＭ間やＤＳＰと表示制御部間で伝送される映像信号のデータ量が多くなる。このため、伝送路の帯域が広くないと動画表示を行ったときフレームレートが低下してしまい、動きの滑らかな表示を行うことができない。また、動画表示の際には、ＶＲＡＭにアクセスする回数が多くなることから、消費電力も多くなってしまう。さらに、ＶＲＡＭには、ＣＭＯＳセンサから供給された映像信号と、例えば映像サイズ変更処理が完了して次に映像信号変換処理を行う映像信号と、映像信号変換処理が完了して映像表示のために読み出される映像信号を記憶しなければならない。このため、記憶容量の大きなＶＲＡＭが必要となってしまう。
【０００６】
そこで、この発明では、安価な構成で映像信号の処理を低消費電力で可能として、撮像した被写体の映像を良好な画質で表示できる映像処理装置およびカメラ機能を有した電子機器を提供するものである。
【課題を解決するための手段】
【０００７】
この発明に係る映像処理装置は、映像信号を用いて信号処理を行う複数の信号処理手段と、信号処理手段で処理された映像信号を保持し、この保持した映像信号を他の信号処理手段に供給するレジスタと、複数の信号処理手段による信号処理が完了した映像信号を記憶するメモリを有するものである。
【０００８】
また、カメラ機能を有した電子機器は、被写体を撮像して撮像画の映像信号を生成する撮像手段と、撮像画の表示を行う表示手段を備えるカメラ機能を有した電子機器において、映像信号を用いて信号処理を行う複数の信号処理手段と、信号処理手段で処理された撮像画の映像信号を保持し、該保持した映像信号を他の信号処理手段に供給する信号保持手段と、複数の信号処理手段による信号処理が完了した撮像画の映像信号を記憶する記憶手段を設け、記憶手段に記憶された映像信号を用いて撮像画の表示を行うものである。
【０００９】
この発明においては、被写体を撮像して撮像画の映像信号が撮像手段で生成される。この撮像画の映像信号に対して、表示手段の映像表示サイズに応じて撮像画のサイズを変更する映像サイズ変更処理を行う信号処理手段や表示手段に対応した映像信号に変換する映像信号変換処理を行う信号処理手段が設けられる。ここで、信号処理が行われた撮像画の映像信号が信号保持手段であるレジスタ等に保持されて、この保持されている映像信号を用いて他の信号処理が更に行われる。複数の信号処理手段による信号処理が完了した撮像画の映像信号は信号記憶手段であるメモリに記憶されて、このメモリに記憶された映像信号を用いて撮像画の表示が行われる。
【発明の効果】
【００１０】
この発明によれば、映像信号を用いて信号処理を行う複数の信号処理手段と、信号処理手段で処理された映像信号を保持し、この保持した映像信号を他の信号処理手段に供給する信号保持手段と、複数の信号処理手段による信号処理が完了した映像信号を記憶する記憶手段が設けられる。ここで、例えば被写体を撮像して生成された撮像画の映像信号に対して信号処理が行われて、信号処理が完了した撮像画の映像信号が記憶手段に記憶されて、この記憶手段に記憶された映像信号を用いて撮像画の動画表示が行われる。
【００１１】
このため、信号処理と次の信号処理の間で、映像信号を記憶手段に記憶して、更に記憶手段から信号処理を読み出す必要がないため、記憶手段に対するアクセス回数を少なくできる。また、信号保持手段を介して信号処理が連続して行われるので、個々に信号処理手段を起動する必要がない。このため、消費電力を削減できる。また、伝送路の帯域を広くしなくともフレームレートの低下等を防止できる。さらに、記憶手段に信号処理が完了していない映像信号を記憶するための領域を設けておく必要もないので、記憶手段における映像信号の記憶領域を少なくできる。このため、記憶手段の記憶容量を大きくしなくとも、パフォーマンスを必要とする他のアプリケーションを動作させることができる。また、安価に構成できる。
【００１２】
さらに、複数の信号処理手段として、映像サイズ変更処理を行う信号処理手段と映像信号変換処理を行う信号処理手段が設けられるので、撮像画と映像表示サイズが異なる場合であっても、映像表示サイズに合わせて撮像画を表示できる。また、撮像画の映像信号と表示に用いる映像信号の形式が異なる場合であっても、撮像画を表示できる。
【００１３】
また、映像の混合処理を行う信号処理手段が設けられて、この混合処理後の映像信号が信号保持手段に保持されるので、映像の混合を行うか否かに係らず信号保持手段に保持させる映像信号の信号量を一定とすることができる。
【発明を実施するための最良の形態】
【００１４】
以下、図を参照しながら、この発明の実施の形態について説明する。図１はカメラ機能を有した電子機器の構成を示すブロック図である。
【００１５】
撮像部１０で生成されたディジタルの映像信号ＤＶ-aは、映像処理装置２０に供給される。この映像処理装置２０は、例えばＣＰＵ(Central Processing Unit)や混載メモリ、グラフィックエンジン，インタフェース等を１つのチップに集積して、ＳＯＣ(System on Chip)と呼ばれる半導体デバイスとして構成されている。映像処理装置２０に供給された映像信号ＤＶ-aは、映像入力インタフェース２１を介して混載メモリであるｅＤＲＡＭ(Embedded Dynamic Random Access Memory)２２に記憶される。また、記憶された映像信号ＤＶ-aがｅＤＲＡＭ２２から読み出されて、グラフィックエンジン２３の映像サイズ変更処理回路２３１に供給される。
【００１６】
映像サイズ変更処理回路２３１は、ｅＤＲＡＭ２２から供給された映像信号ＤＶ-aの間引きや繰り返し，補間等を行うことで撮像画のサイズを変更する。映像サイズ変更処理が行われた映像信号ＤＶ-bは、映像サイズ変更処理回路２３１から信号保持手段であるレジスタ２３２に供給される。レジスタ２３２には映像信号変換処理回路２３３が接続されており、映像信号変換処理回路２３３は、レジスタ２３２に保持されている映像信号ＤＶ-bを後述する表示部３０に対応した映像信号ＤＶ-cとする映像信号変換処理を行い、映像信号変換後の映像信号ＤＶ-cを記憶手段であるｅＤＲＡＭ２２に記憶させる。
【００１７】
ｅＤＲＡＭ２２から読み出された映像信号変換後の映像信号ＤＶ-cは、映像出力インタフェース２４を介して表示部３０に供給される。
【００１８】
表示部３０は、薄型表示素子例えば液晶ディスプレイや有機ＥＬディスプレイ等を用いて構成されており、供給された映像信号ＤＶ-cに基づいて撮像画の動画表示等を行う。
【００１９】
映像入力インタフェース２１とｅＤＲＡＭ２２とグラフィックエンジン２３および映像出力インタフェース２４は、バス２５を介してＣＰＵ(Central Processing Unit)２６と接続されている。また、バス２５には、メモリコントローラ２７やユーザインタフェース２８が接続されている。メモリコントローラ２７は、ＲＯＭ(Read Only Memory)４０およびＳＤＲＡＭ(Synchronous Dynamic Random Access Memory)５０と接続されており、ユーザインタフェース２８は、操作部６０と接続されている。
【００２０】
ＲＯＭ４０には、電子機器を起動させるためのブートプログラム、オペレーティングシステム、種々のアプリケーションプログラム等が記憶されている。また、ＳＤＲＡＭ５０は、アプリケーションプログラム等を実行したときのワーク領域として用いられる。
【００２１】
操作部６０は、タッチパネル等のポインティングデバイスやキーボードを用いて構成されており、ユーザ操作に応じた操作信号ＰＳを生成して、ユーザインタフェース２８を介してＣＰＵ２６に供給する。
【００２２】
ＣＰＵ２６は、ＲＯＭ４０に記憶されているソフトウェアを、メモリコントローラ２７を介して読み出して実行し、ユーザインタフェース２８を介して供給された操作信号ＰＳに基づき、電子機器の動作がユーザ操作に応じた動作となるように、アプリケーションの起動や撮像部１０や映像処理装置２０および表示部３０の動作制御を行う。
【００２３】
また、図示せずも、バス２５にＵＡＲＴ等の通信インタフェースを設けるものとすれば、外部のコンピュータ装置と通信を行うことができる。また、メディアインタフェースを設けて、半導体メモリカードや記録再生装置を接続可能とすれば、撮像画や種々の情報の記録再生を行うことができる。さらに、無線回路や音声コーデック等を電子機器に設けるものとすれば、無線通話が可能となる。
【００２４】
図２は、カメラ機能を有した電子機器の第１の動作を示している。ここで、撮像部１０は、ＩＴＵ(International Telecommunication Union)規格「ITU-R Rec.BT656」に準拠した映像信号ＤＶ-aの生成を行い、撮像画の１フレームの画素数は例えば６４０×４８０画素とする。また、表示部３０は映像信号ＤＶ-cとして三原色信号を用いて表示を行い、表示部３０の映像表示サイズは３２０×２４０画素として以下の説明を行う。
【００２５】
撮像部１０で生成された映像信号ＤＶ-a（輝度信号Ｙ-aと色差信号ＣB-a，ＣR-a）は、ｅＤＲＡＭ２２に記憶される。ここで、映像信号ＤＶ-aは「ITU-R Rec.BT656」に準拠した４：２：２の８ビットのコンポーネント信号とされていることから、１フレームの信号量は、輝度信号Ｙ-aが（０ｘ４Ｂ００）バイト、色差信号ＣB-a，ＣR-aがそれぞれ（０ｘ２５８００）バイトとなる。なお、「０ｘ」は１６進数表記であることを示している。
【００２６】
次に、ｅＤＲＡＭ２２に記憶した１フレーム分の映像信号ＤＶ-aを読み出して映像サイズ変更処理回路２３１に供給し、表示部３０の映像表示サイズに応じて映像信号ＤＶ-aの映像サイズ変更を行う。例えば、撮像画の１フレームの画素数が、表示部３０の表示画素数と等しくなるように、輝度信号Ｙ-a，色差信号ＣB-a，ＣR-aのそれぞれに対して映像サイズ変更を行う。ここで、表示部３０の映像表示サイズは、撮像画の１フレームの画素数に対して縦方向および横方向がそれぞれ（１／２）倍で、映像信号ＤＶ-aは、４：２：２のコンポーネント信号であることから、輝度信号Ｙに対しては２画素毎に２画素単位で間引きを行い、色差信号ＣB，ＣRに対しては１画素おきに間引くことで、表示部３０の映像表示サイズに対応した映像サイズ変更を行うことができる。なお、映像サイズ変更後の映像信号ＤＶ-b（輝度信号Ｙ-bと色差信号ＣB-b，ＣR-b）において、輝度信号Ｙ-bは（０ｘ１２Ｃ００）バイト、色差信号ＣB-b，ＣR-bはそれぞれ（０ｘ９６０００）バイトとなる。
【００２７】
映像サイズ変更後の映像信号ＤＶ-bは、レジスタ２３２に一時保持させる。映像信号変換処理回路２３３は、レジスタ２３２に保持されている映像信号ＤＶ-bを用いて、表示部３０に対応した映像信号ＤＶ-cを生成する。ここで、表示部３０は三原色信号ＤＲ，ＤＧ，ＤＢを用いて表示を行うことから、映像信号変換処理回路２３３は、レジスタ２３２に保持されている映像信号ＤＶ-b（輝度信号Ｙ-bと色差信号ＣB-b，ＣR-b）を用いてマトリクス処理を行い、映像信号ＤＶ-c（三原色信号ＤＲ，ＤＧ，ＤＢ）を生成する。このとき、各色信号の信号量は（０ｘ１２Ｃ００）バイトとなる。
【００２８】
映像信号変換処理回路２３３で生成した映像信号ＤＶ-cは、ｅＤＲＡＭ２２に記憶する。このｅＤＲＡＭ２２に記憶された映像信号ＤＶ-cを表示部３０に供給する。このように、映像信号ＤＶ-aに対して映像サイズ変更や映像信号変換を行い映像信号ＤＶ-cを生成する処理をフレーム毎に順次行うことで、被写体の撮像画を表示部３０に動画表示できる。
【００２９】
ここで、例えば図３に示すようにレジスタ２３２を設けていないときは、撮像部１０から供給された映像信号ＤＶ-aをｅＤＲＡＭ２２に記憶したのち、映像サイズ変更処理回路２３１を起動させて、ｅＤＲＡＭ２２から読み出した映像信号ＤＶ-aの映像サイズ変更を行い、映像サイズ変更後の映像信号ＤＶ-bをｅＤＲＡＭ２２の所定領域に記憶させなければならない。さらに、映像信号変換処理回路２３３を起動させて、ｅＤＲＡＭ２２から読み出した映像サイズ変更後の映像信号ＤＶ-bの映像信号変換処理を行い、映像信号変換後の映像信号ＤＶ-cをｅＤＲＡＭ２２の所定領域に記憶させなければならない。このため、ｅＤＲＡＭ２２からの映像信号の読み出しや、ｅＤＲＡＭ２２への映像信号の書き込み回数が多くなり、映像信号の読み出し時には個々に映像サイズ変更処理回路２３１や映像信号変換処理回路２３３を起動してしなければならないことから、消費電力が多くなる。また、ｅＤＲＡＭ２２には、映像信号ＤＶ-a，ＤＶ-b，ＤＶ-cを記憶するための領域を設けなければならないことから、容量の大きなｅＤＲＡＭ２２を用いなければならず、映像処理装置が高価となってしまう。
【００３０】
しかし、上述のように、映像サイズ変更後の映像信号ＤＶ-bをレジスタ２３２に保持させて、この保持されている映像信号ＤＶ-bを用いて映像信号変換を行うことで、映像信号ＤＶ-bをｅＤＲＡＭ２２の所定領域に記憶して、更にｅＤＲＡＭ２２の所定領域から映像信号ＤＶ-bを読み出す必要がないため、ｅＤＲＡＭ２２に対するアクセス回数が少なくなる。また、ｅＤＲＡＭ２２からの映像信号ＤＶ-aの読み出し時に、映像サイズ変更処理回路２３１と映像信号変換処理回路２３３を起動して、映像サイズ変更と映像信号変換がレジスタを介して連続して行われるので、個々に映像サイズ変更処理回路２３１や映像信号変換処理回路２３３を起動する必要がない。このため、映像処理装置２０の消費電力を削減できる。また、ｅＤＲＡＭ２２に対するアクセス回数が少ないことから、伝送路の帯域を広くしなくともフレームレートの低下を防止できる。
【００３１】
さらに、ｅＤＲＡＭ２２に映像信号ＤＶ-bを記憶するための領域を設けておく必要もないので、ｅＤＲＡＭ２２における映像信号の記憶領域を少なくできる。このため、ｅＤＲＡＭ２２のメモリ容量を大きくしなくとも、この高速アクセスが可能なｅＤＲＡＭ２２を用いてパフォーマンスを必要とする他のアプリケーションを動作させることができる。また、ｅＤＲＡＭ２２のメモリ容量を大きくしなくとも良いことから映像処理装置を安価に構成できる。
【００３２】
ところで、上述の形態では、撮像部１０で生成された映像信号ＤＶ-aをｅＤＲＡＭ２２に記憶させて、この記憶された映像信号ＤＶ-aをｅＤＲＡＭ２２から映像サイズ変更処理回路２３１に供給するものとした。しかし、図４に示す第２の動作のように、撮像部１０で生成された映像信号ＤＶ-aをｅＤＲＡＭ２２に記憶させることなく映像サイズ変更処理回路２３１に供給すれば、ｅＤＲＡＭ２２に映像信号ＤＶ-aを記憶するための記憶領域を設ける必要がなく、ｅＤＲＡＭ２２における映像信号の記憶領域を更に少なくできる。また、ｅＤＲＡＭ２２に対する映像信号の書き込みや読み出し回数が更に少なくなるので、消費電力も更に少なくできる。
【００３３】
また、上述の形態では、表示部３０に撮像画のみを表示するものとしたが、電子機器では、撮像画と異なる映像、例えば種々の情報等を示す映像を撮像画に重ね合わせて表示することも行われる。この場合、撮像画の映像信号ＤＶ-aと異なる映像信号ＤＶ-d（輝度信号Ｙ-dと色差信号ＣB-d，ＣR-d）をｅＤＲＡＭ２２に記憶させておき、映像信号ＤＶ-aと映像信号ＤＶ-dに基づいた映像の重ね合わせを混合処理回路で行う。
【００３４】
図５は、第３の動作として、複数の映像を重ね合わせて表示する場合を示している。この場合、映像信号ＤＶ-dは、ｅＤＲＡＭ２２に予め記憶させておき、映像信号ＤＶ-aをｅＤＲＡＭ２２から映像サイズ変更処理回路２３１に供給する際に、映像信号ＤＶ-dも映像サイズ変更処理回路２３１に供給する。
【００３５】
映像サイズ変更処理回路２３１は、映像信号ＤＶ-aに対して映像サイズ変更を行い、映像サイズ変更後の映像信号ＤＶ-bをレジスタ２３２に保持させる。また、映像信号ＤＶ-dに対して映像サイズ変更を行い、映像サイズ変更後の映像信号ＤＶ-e（輝度信号Ｙ-eと色差信号ＣB-e，ＣR-e）をレジスタ２３２に保持させる。
【００３６】
混合処理回路２３４は映像サイズ変更処理回路２３１から供給された映像信号ＤＶ-bと映像信号ＤＶ-eを用いて映像の重ね合わせを行う。混合処理回路２３４には、例えばＣＰＵ２６から２つの映像信号の混合比αを示す設定信号ＢＳが供給されており、この混合比αで２つの映像信号を混合する。すなわち、同じ画素位置ｍの輝度信号Ｙ-bmと輝度信号Ｙ-emを用いて、係数「α」が乗算された輝度信号Ｙ-bmと係数「１−α」が乗算された輝度信号Ｙ-emを加算して、新たな輝度信号Ｙ-fmを生成する。また、他の画素位置の輝度信号Ｙ-b，Ｙ-eや色差信号ＣB-b，ＣB-e，ＣR-b，ＣR-eについても同様な処理を行う。このようにして生成された映像信号ＤＶ-f（輝度信号Ｙ-fと色差信号ＣB-f，ＣR-f）を、レジスタ２３２に保持させる。
【００３７】
映像信号変換処理回路２３３は、レジスタ２３２に保持されている映像信号ＤＶ-fを、表示部３０に対応した映像信号ＤＶ-g（三原色信号ＤＲ-g，ＤＧ-g，ＤＢ-g）に変換して、ｅＤＲＡＭ２２に記憶させる。このｅＤＲＡＭ２２に記憶された映像信号ＤＶ-gを表示部３０に供給することで、撮像画と他の映像を重ね合わせて表示部３０の画面上に表示させることができる。
【００３８】
このように、撮像画と他の映像を重ね合わせて表示する場合であっても、映像信号ＤＶ-bをｅＤＲＡＭ２２の所定領域に記憶して、更にｅＤＲＡＭ２２の所定領域から映像信号ＤＶ-bを読み出したり、混合処理後の映像信号ＤＶ-fをｅＤＲＡＭ２２の所定領域に記憶して、更にｅＤＲＡＭ２２の所定領域から映像信号ＤＶ-fを読み出す必要がないため、ｅＤＲＡＭ２２に対するアクセス回数が少なくなり消費電力を削減できる。また、ｅＤＲＡＭ２２に映像信号ＤＶ-bや映像信号ＤＶ-fを記憶するための領域を設けておく必要もないので、ｅＤＲＡＭ２２における映像信号の記憶領域を少なくすることが可能となり、映像処理装置を安価に構成できる。また、混合処理回路２３４は、レジスタ２３２よりも前段に設けるものとすれば、映像の重ね合わせを行うか否かに係らず、レジスタ２３２で保持させる信号量を一定とすることができる。
【００３９】
また、上述の形態では、映像サイズ変更を行ってから映像信号変換を行うものとしたが、映像信号変換を行って得られた映像信号をレジスタ２３２に保持させて、このレジスタ２３２に保持されている映像信号を用いて映像サイズ変更を行うこともできる。なお、映像サイズ変更で映像サイズを縮小する場合、映像サイズ変更処理後の映像信号をレジスタ２３２に保持させることにより、レジスタ２３２の信号保持サイズを小さくできる。
【００４０】
なお、映像処理装置で行う処理は、映像サイズ変更や映像信号変換に限られるものではなく、他の処理を行うものとしても良い。例えば、放送方式の変換等を行うものとしても良い。さらに、上述の形態では、映像処理装置２０をＳＯＣとして構成するものとしたが、映像処理装置２０の各部に対応した半導体デバイスを個々に用いて映像処理装置２０を構成するものとしても良いことは勿論である。
【産業上の利用可能性】
【００４１】
以上のように、本発明にかかる映像処理装置とカメラ機能を有した電子機器は、撮像画を動画表示する場合に有用であり、少ない消費電力で動画表示を行う場合に適している。
【図面の簡単な説明】
【００４２】
【図１】カメラ機能を有した電子機器の構成を示す図である。
【図２】カメラ機能を有した電子機器の第１の動作を示す図である。
【図３】レジスタを設けていないときの動作を示す図である。
【図４】カメラ機能を有した電子機器の第２の動作を示す図である。
【図５】カメラ機能を有した電子機器の第３の動作を示す図である。
【符号の説明】
【００４３】
１０・・・撮像部、２０・・・映像処理装置、２１・・・映像入力インタフェース、２２・・・ｅＤＲＡＭ、２３・・・グラフィックエンジン、２４・・・映像出力インタフェース、２５・・・バス、２６・・・ＣＰＵ、２７・・・メモリコントローラ、２８・・・ユーザインタフェース、３０・・・表示部、４０・・・ＲＯＭ、５０・・・ＳＤＲＡＭ、６０・・・操作部、２３１・・・映像サイズ変更処理回路、２３２・・・レジスタ、２３３・・・映像信号変換処理回路、２３４・・・混合処理回路
【図１】
2005303367.tif 000003
【図２】
2005303367.tif 000004
【図３】
2005303367.tif 000005
【図４】
2005303367.tif 000006
【図５】
2005303367.tif 000007